【手続補正書】
【提出日】平成20年6月26日(2008.6.26)
【手続補正１】
【補正対象書類名】明細書
【補正対象項目名】特許請求の範囲
【補正方法】変更
【補正の内容】
【特許請求の範囲】
【請求項１】  
焦点調整用レンズを含む撮像レンズと、
前記焦点調整用レンズの合焦位置を検出する合焦位置の検出手段と、
前記焦点調整用レンズを移動させる駆動手段と、
前記撮像レンズを通った被写体像を変換して画像データを出力する撮像手段と、
前記合焦位置の検出手段により検出された合焦位置に基づいて、前記駆動手段を制御して前記合焦位置及び予め設定された量ずつ異なる位置に前記焦点調整用レンズを続けて移動させ、移動された各位置で、前記撮像手段により撮像を行うように制御する制御手段と、
前記撮像手段から出力された各位置の画像データの合焦状態の評価値を検出する合焦評価値の検出手段と、
前記合焦評価値の検出手段により検出された評価値に基づいて、画像データを選択する選択手段と
を有することを特徴とする撮像装置。
【請求項２】  
前記選択手段は、最大の評価値を有する画像データを選択することを特徴とする請求項１に記載の撮像装置。
【請求項３】  
前記選択手段は、最大の評価値に基づいて各評価値を正規化し、正規化した各評価値の内、予め設定された値以上の評価値を有する画像データを選択することを特徴とする請求項１に記載の撮像装置。
【請求項４】  
前記選択手段は、最大の評価値に基づいて各評価値を正規化し、正規化した各評価値の内、予め設定された範囲にある評価値を有する画像データを選択することを特徴とする請求項１に記載の撮像装置。
【請求項５】  
前記合焦評価値の検出手段は、輝度を示す画像データの高周波成分を積分して得た値を評価値とすることを特徴とする請求項１乃至４のいずれか１項に記載の撮像装置。
【請求項６】  
前記駆動手段により続けて移動された各位置で撮影を行って前記撮像手段から出力された画像データを保持する保持手段を更に有することを特徴とする請求項１乃至５のいずれか１項に記載の撮像装置。
【請求項７】  
前記選択手段により選択された画像データを記憶する記憶手段を更に有することを特徴とする請求項１乃至６のいずれか１項に記載の撮像装置。
【請求項８】  
撮像レンズと、
適正な露出条件を導出する導出手段と、
前記露出条件を変更する変更手段と、
前記撮像レンズを通った被写体像を変換して画像データを出力する撮像手段と、
前記導出手段により導出された露出条件に基づいて、前記変更手段を制御して前記露出条件及び予め設定された量ずつ異なる露出条件に続けて変更し、変更された各露出条件で、前記撮像手段により撮影を行うように制御する制御手段と、
前記導出した各露出条件で得られた画像データの輝度の評価値を検出する検出手段と、
前記検出手段により検出された評価値に基づいて、画像データを選択する選択手段と
を有することを特徴とする撮像装置。
【請求項９】  
前記露出条件は、絞り値及びシャッタースピードの少なくともいずれかを含むことを特徴とする請求項８に記載の撮像装置。
【請求項１０】  
前記変更手段は、絞り値及びシャッタースピードの少なくともいずれかを変更することを特徴とする請求項８に記載の撮像装置。
【請求項１１】  
前記選択手段は、適正絞り値に最も近い評価値を有する画像データを選択することを特徴とする請求項８乃至１０のいずれか１項に記載の撮像装置。
【請求項１２】  
前記選択手段は、予め設定された範囲にある評価値を有する画像データを選択することを特徴とする請求項８乃至１０のいずれか１項に記載の撮像装置。
【請求項１３】  前記変更手段により続けて変更された各露出条件で撮影を行って前記撮像手段から出力される画像データを保持する保持手段を更に有することを特徴とする請求項８乃至１２のいずれか１項に記載の撮像装置。
【請求項１４】  前記選択手段により選択された画像データを記憶する記憶手段を更に有することを特徴とする請求項８乃至１３のいずれか１項に記載の撮像装置。
【請求項１５】  前記撮像装置は、デジタルカメラであることを特徴とする請求項１乃至１４のいずれか１項に記載の撮像装置。
【請求項１６】  焦点調整用レンズの合焦位置を検出する合焦位置の検出工程と、
前記合焦位置の検出工程で検出された合焦位置に基づいて、前記合焦位置から予め設定された量ずつ異なる前記焦点調整用レンズを移動させる位置を導出する導出工程と、
前記合焦位置及び前記導出工程で導出した位置に前記焦点調整用レンズを移動させながら、各位置で被写体像の撮影を行い、画像データを出力する撮像工程と、
各位置で撮影した画像データの合焦状態の評価値を検出する合焦評価値の検出工程と、
前記合焦評価値の検出工程で検出された評価値に基づいて、画像データを選択する選択工程と
を有することを特徴とする撮像方法。
【請求項１７】  前記選択工程では、最大の評価値を有する画像データを選択することを特徴とする請求項１６に記載の撮像方法。
【請求項１８】  前記選択工程では、最大の評価値に基づいて各評価値を正規化し、正規化した各評価値の内、予め設定された値以上の評価値を有する画像データを選択することを特徴とする請求項１６に記載の撮像方法。
【請求項１９】  前記選択工程では、最大の評価値に基づいて各評価値を正規化し、正規化した各評価値の内、予め設定された範囲にある評価値を有する画像データを選択することを特徴とする請求項１６に記載の撮像方法。
【請求項２０】  前記合焦評価値の検出工程では、輝度を示す画像データの高周波成分を積分して得た値を評価値とすることを特徴とする請求項１６乃至１９のいずれか１項に記載の撮像方法。
【請求項２１】  前記撮影工程で得た画像データを保持する保持工程を更に有することを特徴とする請求項１６乃至２０のいずれか１項に記載の撮像方法。
【請求項２２】  前記選択工程で選択された画像データを記憶する記憶工程を更に有することを特徴とする請求項１６乃至２１のいずれか１項に記載の撮像方法。
【請求項２３】  適正な露出条件を導出する導出工程と、
前記導出工程において導出された露出条件に基づいて、前記露出条件から予め設定された量ずつ異なる露出条件を導出する変更工程と、
前記導出工程及び前記変更工程において導出された露出条件となるように続けて露出条件を変更させながら、各露出条件で被写体像の撮影を行い、画像データを出力する撮像工程と、
各露出条件で出力された画像データの輝度の評価値を検出する検出工程と、
前記検出工程で検出された評価値に基づいて、画像データを選択する選択工程と
を有することを特徴とする撮像方法。
【請求項２４】  前記露出条件は、絞り値及びシャッタースピードの少なくともいずれかを含むことを特徴とする請求項２３に記載の撮像方法。
【請求項２５】  前記導出工程では、絞り値及びシャッタースピードの少なくともいずれかを導出することを特徴とする請求項２３に記載の撮像方法。
【請求項２６】  前記変更工程では、絞り値及びシャッタースピードの少なくともいずれかを変更することを特徴とする請求項２３に記載の撮像方法。
【請求項２７】  前記選択工程では、適正絞り値に最も近い評価値を有する画像データを選択することを特徴とする請求項２３乃至２６のいずれか１項に記載の撮像方法。
【請求項２８】  前記選択工程では、予め設定された範囲にある露出条件の画像データを選択することを特徴とする請求項２３乃至２６のいずれか１項に記載の撮像方法。
【請求項２９】  前記撮影工程で得た画像データを保持する保持工程を更に有することを特徴とする請求項２３乃至２８のいずれか１項に記載の撮像方法。
【請求項３０】  前記選択工程により選択された画像データを記憶する記憶工程を更に有することを特徴とする請求項２３乃至２９のいずれか１項に記載の撮像方法。
【請求項３１】  コンピュータに、請求項１６乃至３０のいずれか１項に記載の撮像方法の各工程を実行させるためのプログラム。
【請求項３２】  請求項３１に記載のプログラムを格納したことを特徴とするコンピュータが読み取り可能な記憶媒体。
【手続補正２】
【補正対象書類名】明細書
【補正対象項目名】００１０
【補正方法】変更
【補正の内容】
【００１０】
上記第１の目的を達成するために、本発明の撮像装置は、焦点調整用レンズを含む撮像レンズと、前記焦点調整用レンズの合焦位置を検出する合焦位置の検出手段と、前記焦点調整用レンズを移動させる駆動手段と、前記撮像レンズを通った被写体像を変換して画像データを出力する撮像手段と、前記合焦位置の検出手段により検出された合焦位置に基づいて、前記駆動手段を制御して前記合焦位置及び予め設定された量ずつ異なる位置に前記焦点調整用レンズを続けて移動させ、移動された各位置で、前記撮像手段により撮像を行うように制御する制御手段と、前記撮像手段から出力された各位置の画像データの合焦状態の評価値を検出する合焦評価値の検出手段と、前記合焦評価値の検出手段により検出された評価値に基づいて、画像データを選択する選択手段とを有する。
【手続補正３】
【補正対象書類名】明細書
【補正対象項目名】００１１
【補正方法】変更
【補正の内容】
【００１１】
また、本発明の撮像方法は、焦点調整用レンズの合焦位置を検出する合焦位置の検出工程と、前記合焦位置の検出工程で検出された合焦位置に基づいて、前記合焦位置から予め設定された量ずつ異なる前記焦点調整用レンズを移動させる位置を導出する導出工程と、前記合焦位置及び前記導出工程で導出した位置に前記焦点調整用レンズを移動させながら、各位置で被写体像の撮影を行い、画像データを出力する撮像工程と、各位置で撮影した画像データの合焦状態の評価値を検出する合焦評価値の検出工程と、前記合焦評価値の検出工程で検出された評価値に基づいて、画像データを選択する選択工程とを有する。
【手続補正４】
【補正対象書類名】明細書
【補正対象項目名】００１２
【補正方法】変更
【補正の内容】
【００１２】
また、上記第２の目的を達成するために、本発明の撮像装置は、撮像レンズと、適正な露出条件を導出する導出手段と、前記露出条件を変更する変更手段と、前記撮像レンズを通った被写体像を変換して画像データを出力する撮像手段と、前記導出手段により導出された露出条件に基づいて、前記変更手段を制御して前記露出条件及び予め設定された量ずつ異なる露出条件に続けて変更し、変更された各露出条件で、前記撮像手段により撮影を行うように制御する制御手段と、前記導出した各露出条件で得られた画像データの輝度の評価値を検出する検出手段と、前記検出手段により検出された評価値に基づいて、画像データを選択する選択手段とを有する。
【手続補正５】
【補正対象書類名】明細書
【補正対象項目名】００１３
【補正方法】変更
【補正の内容】
【００１３】
また、本発明の撮像方法は、適正な露出条件を導出する導出工程と、前記導出工程において導出された露出条件に基づいて、前記露出条件から予め設定された量ずつ異なる露出条件を導出する変更工程と、前記導出工程及び前記変更工程において導出された露出条件となるように続けて露出条件を変更させながら、各露出条件で被写体像の撮影を行い、画像データを出力する撮像工程と、各露出条件で出力された画像データの輝度の評価値を検出する検出工程と、前記検出工程で検出された評価値に基づいて、画像データを選択する選択工程とを有する。